(57)【要約】【課題】特別な動作をユーザに行わせることなく、眼電位と情報との間の対応関係を取得すること。【解決手段】情報処理装置は、情報処理装置であって、連続的に検出されたユーザの眼電位を取得する眼電位取得部と、眼電位取得部が取得した眼電位が予め定められた条件を満たすと判断した場合に、情報処理装置のロック状態を解除するロック制御部と、ロック制御部によって眼電位が予め定められた条件を満たすと判断された場合に、眼電位と、予め定められた条件に対応する視線方向とに基づいて、眼電位とユーザの視線方向との間の相関を取得する相関取得部とを備える。【選択図】図３
2015203957.tif 000002
【特許請求の範囲】
【請求項１】
情報処理装置であって、
連続的に検出されたユーザの眼電位を取得する眼電位取得部と、
前記眼電位取得部が取得した前記眼電位が予め定められた条件を満たすと判断した場合に、前記情報処理装置のロック状態を解除するロック制御部と、
前記ロック制御部によって前記眼電位が前記予め定められた条件を満たすと判断された場合に、前記眼電位と、前記予め定められた条件に対応する視線方向とに基づいて、前記眼電位と前記ユーザの視線方向との間の相関を取得する相関取得部と
を備える情報処理装置。
【請求項２】
前記相関取得部が取得した前記相関と、前記ロック状態が解除された後に検出された前記眼電位とに基づいて、前記ロック状態が解除された後における前記ユーザの視線方向を特定する視線特定部
をさらに備える請求項１に記載の情報処理装置。
【請求項３】
前記予め定められた条件に対応する視線方向は、前記ロック状態を解除するために前記ユーザが予め定められた順で見るべき第１位置及び第２位置の位置関係を規定し、
前記ロック制御部は、第１タイミングで検出された第１の前記眼電位と第２タイミングで検出された第２の前記眼電位との間の眼電位の変化量によって示される位置関係と、前記第１位置及び前記第２位置の前記位置関係とを比較して、前記眼電位取得部が取得した前記眼電位が前記予め定められた条件を満たすか否かを判断する
請求項１または２に記載の情報処理装置。
【請求項４】
表示部
をさらに備え、
前記ロック制御部は、前記表示部による表示領域内における前記第１位置及び前記第２位置にそれぞれ対応する位置に、マーカを表示させる
請求項３に記載の情報処理装置。
【請求項５】
前記眼電位取得部は、前記ユーザに装着された眼電位検出部で検出された前記眼電位を取得する
請求項１から４のいずれか一項に記載の情報処理装置。
【請求項６】
前記眼電位取得部は、前記ユーザが装着している装着具に設けられた前記眼電位検出部で検出された前記眼電位を取得する
請求項５に記載の情報処理装置。
【請求項７】
前記眼電位取得部は、前記ユーザが装着しているアイウエアに設けられた前記眼電位検出部で検出された前記眼電位を取得する
請求項６に記載の情報処理装置。
【請求項８】
請求項１から４のいずれか一項に記載の情報処理装置と、
前記ユーザに装着される装着具と
を備え、
前記眼電位取得部は、前記装着具に設けられた眼電位検出部で検出された前記眼電位を取得する
情報処理システム。
【請求項９】
コンピュータを、
連続的に検出されたユーザの眼電位を取得する眼電位取得部、
前記眼電位取得部が取得した前記眼電位が予め定められた条件を満たすと判断した場合に、前記コンピュータのロック状態を解除するロック制御部、
前記ロック制御部によって前記眼電位が予め定められた条件を満たすと判断された場合に、前記眼電位と、前記予め定められた条件に対応する基準視線方向とに基づいて、前記眼電位と前記ユーザの視線方向との間の相関を取得する相関取得部
として機能させるためのプログラム。
【発明の詳細な説明】
【技術分野】
【０００１】
本発明は、情報処理装置、情報処理システム、及びプログラムに関する。
【背景技術】
【０００２】
眼電位等を計測する装置が知られている（例えば、特許文献１−３参照）。
特許文献１  特開２０１１−１２０８８７号公報
特許文献２  特開平９−０３４６３１号公報
特許文献３  特表２０１３−５５３８３公報
【発明の概要】
【発明が解決しようとする課題】
【０００３】
眼電位と視線方向等の情報との間の対応関係が不正確であると、眼電位から特定される情報が不正確になる場合がある。眼電位からより正確に情報を特定するためには、眼電位と情報との間の対応関係を取得するための特別な動作を、ユーザに行わせる必要があった。
【課題を解決するための手段】
【０００４】
第１の態様においては、情報処理装置は、連続的に検出されたユーザの眼電位を取得する眼電位取得部と、眼電位取得部が取得した眼電位が予め定められた条件を満たすと判断した場合に、情報処理装置のロック状態を解除するロック制御部と、ロック制御部によって眼電位が予め定められた条件を満たすと判断された場合に、眼電位と、予め定められた条件に対応する視線方向とに基づいて、眼電位とユーザの視線方向との間の相関を取得する相関取得部とを備える。
【０００５】
相関取得部が取得した相関と、ロック状態が解除された後に検出された眼電位とに基づいて、ロック状態が解除された後におけるユーザの視線方向を特定する視線特定部をさらに備えてよい。
【０００６】
予め定められた条件に対応する視線方向は、ロック状態を解除するためにユーザが予め定められた順で見るべき第１位置及び第２位置の位置関係を規定し、ロック制御部は、第１タイミングで検出された第１の眼電位と第２タイミングで検出された第２の眼電位との間の眼電位の変化量と、第１位置及び第２位置の位置関係とを比較して、眼電位取得部が取得した眼電位が予め定められた条件を満たすか否かを判断してよい。
【０００７】
表示部をさらに備え、ロック制御部は、表示部による表示領域内における第１位置及び第２位置にそれぞれ対応する位置に、マーカを表示させてよい。
【０００８】
眼電位取得部は、ユーザに装着された眼電位検出部で検出された眼電位を取得してよい。
【０００９】
眼電位取得部は、ユーザが装着している装着具に設けられた眼電位検出部で検出された眼電位を取得してよい。
【００１０】
眼電位取得部は、ユーザが装着しているアイウエアに設けられた眼電位検出部で検出された眼電位を取得してよい。
【００１１】
第２の態様においては、情報処理システムは、上記情報処理装置と、ユーザに装着される装着具とを備え、眼電位取得部は、装着具に設けられた眼電位検出部で検出された眼電位を取得する。
【００１２】
第３の態様においては、プログラムは、コンピュータを、連続的に検出されたユーザの眼電位を取得する眼電位取得部、眼電位取得部が取得した眼電位が予め定められた条件を満たすと判断した場合に、コンピュータのロック状態を解除するロック制御部、ロック制御部によって眼電位が予め定められた条件を満たすと判断された場合に、眼電位と、予め定められた条件に対応する基準視線方向とに基づいて、眼電位とユーザの視線方向との間の相関を取得する相関取得部として機能させる。
【００１３】
なお、上記の発明の概要は、本発明の特徴の全てを列挙したものではない。また、これらの特徴群のサブコンビネーションもまた、発明となりうる。
【図面の簡単な説明】
【００１４】
【図１】一実施形態における眼電位情報処理システム１０の利用形態の一例を概略的に示す。
【図２】メガネ１００及びスマートフォン４０を模式的に示す。
【図３】スマートフォン４０の機能ブロック構成及び処理ユニット１８０の機能ブロック構成を概略的に示す。
【図４】メガネ１００が有する眼電位検出用電極とユーザ２０との位置関係を概略的に示す。
【図５】ユーザ２０の視線方向の変化を概略的に示す。
【図６】ＵＩ部３７０が表示するパスコード入力画面４２の一例を示す。
【図７】眼電位の時間発展の一例を、ロック制御部３３０の制御内容とともに概略的に示す。
【発明を実施するための形態】
【００１５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１６】
図１は、一実施形態における眼電位情報処理システム１０の利用形態の一例を概略的に示す。眼電位情報処理システム１０は、メガネ１００、スマートフォン４０及びヘッドフォン５０を備える。
【００１７】
ユーザ２０は、メガネ１００、スマートフォン４０及びヘッドフォン５０のそれぞれの使用者である。ユーザ２０は、メガネ１００を装着する装着者である。スマートフォン４０は、眼電位等の情報を処理する情報処理装置の一例である。
【００１８】
メガネ１００は、ユーザ２０の顔部に装着される。メガネ１００は、スマートフォン４０と通信する機能を有する。メガネ１００は、ユーザ２０に接触する電極を介してユーザ２０の眼電位を検出して、検出した眼電位の情報をスマートフォン４０に送信する。また、メガネ１００は、メガネ１００の加速度を検出して、検出した加速度の情報をスマートフォン４０に送信する。また、メガネ１００は、メガネ１００の角速度を検出して、検出した角速度の情報をスマートフォン４０に送信する。
【００１９】
スマートフォン４０は、メガネ１００から受信した眼電位を解析する。スマートフォン４０は、メガネ１００から受信した眼電位を、メガネ１００から受信した加速度及び角速度の少なくとも一方とともに解析する。スマートフォン４０は、眼電位、加速度、角速度等の解析結果に基づいて、ユーザ２０に情報を提供する。
【００２０】
例えば、スマートフォン４０は、眼電位、加速度及び角速度等を解析して、ユーザ２０の状態を特定する。具体的には、スマートフォン４０は、眼電位を解析して、ユーザ２０の視線方向及び瞬目状態等を特定する。例えば、スマートフォン４０は、視線方向及び瞬目状態等に基づき、ユーザ２０の状態を判断する。具体的には、スマートフォン４０は、視線方向及び瞬目状態等に基づき、ユーザ２０に疲れ、痛み等が生じているか否かを判断する。スマートフォン４０は、ユーザ２０に疲れ、痛み等が生じていると判断した場合に、ユーザ２０に警告を発する。例えば、スマートフォン４０は、ユーザ２０に疲れ、痛み等が生じていると判断した場合に、警告音を発生する。
【００２１】
また、スマートフォン４０は、眼電位等の解析結果に基づいて、ユーザ２０からの指示を特定する。例えば、スマートフォン４０は、ユーザ２０の視線方向の変化の組み合わせ、視線方向及び瞬目状態の組み合わせにより、スマートフォン４０に対するユーザ２０からの指示を特定する。スマートフォン４０は、ユーザ２０からの指示に基づき、スマートフォン４０の動作を制御する。例えば、スマートフォン４０は、予め定められた再生順序で音楽を再生している場合に、眼電位等の解析結果に基づいてユーザ２０から次の曲を再生するよう指示されたと判断すると、再生順序において現在再生中の次の順番の曲の再生を開始する。スマートフォン４０が再生している曲は、ユーザ２０の頭部に装着されたヘッドフォン５０に無線又は有線で出力されて、ヘッドフォン５０からユーザ２０の耳に音として提供される。
【００２２】
眼電位情報処理システム１０においては、スマートフォン４０には、ユーザ２０がスマートフォン４０の機能を使用する前に入力するべき認証用のパスコードが設定されている。例えば、スマートフォン４０は、ロック状態にある場合に、パスコード入力画面４２を表示させて、パスコードを視線で入力するようユーザ２０に要求する。スマートフォン４０は、視線入力により正しいパスコードを入力されると、ロック状態を解除する。
【００２３】
スマートフォン４０は、視線入力によりパスコードを入力させる場合、メガネ１００で検出された眼電位に基づいて、正しいパスコードが入力されたか否かを判断する。例えば、パスコード入力画面４２を表示している場合に、スマートフォン４０は、ユーザ２０の眼電位に基づいて右方に視線方向が変化した後に、下方に視線方向が変化したと判断した場合に、正しいパスコードが入力されたと判断して、ロック状態を解除する。
【００２４】
このとき、スマートフォン４０は、右方への視線方向の変化を表す眼電位が検出されたタイミングにおいて、ユーザ２０が、パスコード入力画面４２内の「２」の表示位置を見ているとみなす。また、スマートフォン４０は、下方への視線方向の変化を表す眼電位が検出されたタイミングにおいて、ユーザ２０が、パスコード入力画面４２内の「３」の表示位置を見ているとみなす。これにより、スマートフォン４０は、眼電位とユーザ２０の視線方向との間の相関を取得する。スマートフォン４０は、当該相関の取得後に検出される眼電位を、当該相関に基づいて解析して、ユーザ２０の視線方向を特定する。これにより、ユーザ２０の視線方向をより正しく特定できる。眼電位情報処理システム１０によれば、スマートフォン４０のロック状態の解除、及び、眼電位と視線方向との間の相関関係の取得とを、同時に行うことができる。
【００２５】
なお、本実施形態の説明において、図１等に示される直交座標系の座標軸を用いて、各種の方向を特定する場合がある。ｚ軸プラス方向を、ユーザ２０の正面に沿う方向に定める。ｚ軸プラス方向は、ユーザ２０の顔に装着されているメガネ１００の、ユーザ２０の顔からメガネ１００のフロント部へ向かう方向の加速度である。また、ｙ軸マイナス方向を、鉛直方向、すなわち鉛直下方に定める。ｘ軸、ｙ軸、ｚ軸は、右手系の直交座標系である。説明の都合上、ｚ軸プラス方向を正面方向等と呼ぶ場合がある。また、ｙ軸プラス方向を上方等と呼ぶ場合がある。また、ｙ軸マイナス方向を下方等と呼ぶ場合がある。また、ｘ軸プラス方向を左方等と呼ぶ場合がある。また、ｘ軸マイナス方向を右方等と呼ぶ場合がある。
【００２６】
図２は、メガネ１００及びスマートフォン４０を模式的に示す。メガネ１００は、レンズ１１０及びフレーム１２０を備える。メガネ１００及びフレーム１２０は、アイウエアの一例である。
【００２７】
フレーム１２０は、一対のレンズ１１０を支持する。フレーム１２０は、リム１２２、ブリッジ１２４、ヨロイ１２６、テンプル１３０、モダン１３２、右ノーズパッド１４１、左ノーズパッド１４２、第１電極１５１、第２電極１５２、第３電極１５３、接地電極１５４、処理ユニット１８０及び電源ユニット１９０を有する。レンズ１１０、リム１２２、ヨロイ１２６、テンプル１３０、及びモダン１３２は、それぞれ左右一対に設けられる。フレーム１２０のうち、リム１２２、ブリッジ１２４、右ノーズパッド１４１、左ノーズパッド１４２及びヨロイ１２６の部分を、メガネ１００のフロント部と呼ぶ。
【００２８】
リム１２２は、レンズ１１０を保持する。ヨロイ１２６は、リム１２２の外側に設けられテンプル１３０を可動に保持する。テンプル１３０は、ユーザ２０の耳の上部を押圧して、押圧した部位を挟持する。モダン１３２は、テンプル１３０の先端に設けられる。モダン１３２は、ユーザ２０の耳の上部に接触する。
【００２９】
第１電極１５１は、眼電位を検出する眼電位検出部の一例である。第１電極１５１は、右ノーズパッド１４１の表面に設けられる。第１電極１５１は、右ノーズパッド１４１が有する表面のうち、ユーザ２０がメガネ１００を装着した場合にユーザ２０の顔に対向する側の表面に設けられる。ユーザ２０がメガネ１００を装着した場合、第１電極１５１はユーザ２０の皮膚に接触する。例えば、ユーザ２０がメガネ１００を装着した場合、第１電極１５１はユーザ２０の鼻の右側に接触する。本実施形態において、第１電極１５１は、主としてユーザ２０の右眼の眼電位を検出する。
【００３０】
第２電極１５２は、眼電位を検出する眼電位検出部の一例である。第２電極１５２は、左ノーズパッド１４２の表面に設けられる。第２電極１５２は、左ノーズパッド１４２が有する表面のうち、ユーザ２０がメガネ１００を装着した場合にユーザ２０の顔に対向する側の表面に設けられる。ユーザ２０がメガネ１００を装着した場合、第２電極１５２はユーザ２０の皮膚に接触する。例えば、ユーザ２０がメガネ１００を装着した場合、第２電極１５２はユーザ２０の鼻の左側に接触する。本実施形態において、第２電極１５２は、主としてユーザ２０の左眼の眼電位を検出する。
【００３１】
第３電極１５３は、眼電位を検出する眼電位検出部の一例である。第３電極１５３は、ブリッジ１２４の表面に設けられる。第３電極１５３は、ブリッジ１２４が有する表面のうち、ユーザ２０がメガネ１００を装着した場合にユーザ２０の顔に対向する表面に設けられる。ユーザ２０がメガネ１００を装着した場合、第３電極１５３はユーザ２０の皮膚に接触する。例えば、ユーザ２０がメガネ１００を装着した場合、第３電極１５３はユーザ２０の眉間の上部に接触する。本実施形態において、第３電極１５３で検出される眼電位は、ユーザ２０の右眼の眼電位及び左眼の眼電位を測定するための測定用の基準に用いられる。
【００３２】
接地電極１５４は、モダン１３２の表面に設けられる。接地電極１５４は、例えば右側のモダン１３２の表面に設けられる。接地電極１５４は、モダン１３２が有する表面のうち、ユーザ２０がメガネ１００を装着した場合にユーザ２０の顔に対向する表面に設けられる。ユーザ２０がメガネ１００を装着した場合、接地電極１５４はユーザ２０の皮膚に接触する。例えば、ユーザ２０がメガネ１００を装着した場合、接地電極１５４はユーザ２０の右耳の上部に接触する。本実施形態において、接地電極１５４の電位は、メガネ１００が有する電気回路の接地電位を提供する。
【００３３】
処理ユニット１８０は、左側のテンプル１３０の内部に設けられる。処理ユニット１８０には、第１電極１５１、第２電極１５２及び第３電極１５３で検出されたユーザ２０の眼電位が入力される。処理ユニット１８０は、入力された眼電位を処理して、処理された電位をスマートフォン４０に送信する。
【００３４】
電源ユニット１９０は、左側のテンプル１３０の内部に設けられる。電源ユニット１９０は、二次電池等の電池を含む。電源ユニット１９０は、電源ユニット１９０が含む電池に蓄積された電気エネルギーを、処理ユニット１８０に供給する。具体的には、電源ユニット１９０は、電池に蓄積された電気エネルギーから、接地電極１５４の電位を基準とした直流電力を生成する。電源ユニット１９０は、電池に蓄積された電気エネルギーから生成した直流電力を、処理ユニット１８０に供給する。
【００３５】
なお、電源ユニット１９０は、接地電極１５４が設けられた側のテンプル１３０の内部に設けられている。接地電極１５４の電位は、電源ユニット１９０から処理ユニット１８０に供給される直流電力の負側の電位を提供する。また、右側のモダン１３２には、電源ユニット１９０を充電するために充電口が形成されている。電源ユニット１９０が含む電池は、右側のモダン１３２に設けられた充電口を介して充電される。
【００３６】
図３は、スマートフォン４０の機能ブロック構成及び処理ユニット１８０の機能ブロック構成を概略的に示す。処理ユニット１８０は、処理部２００、角速度検出部２６０、加速度検出部２７０、送受信部２８０及び基板部２９０を含む。スマートフォン４０は、処理部３００、格納部３６０、ＵＩ部３７０、送受信部３８０及び電源部３９０を含む。
【００３７】
処理ユニット１８０において、処理部２００、角速度検出部２６０、加速度検出部２７０及び送受信部２８０は、基板部２９０に実装される。処理部２００は、ＭＰＵ等のプロセッサで実現される。スマートフォン４０の各部は、主として処理部３００によって制御される。送受信部２８０は、スマートフォン４０と無線通信する機能を担う。送受信部２８０は、通信用プロセッサで実現される。例えば、送受信部２８０は、Ｂｌｕｅｔｏｏｔｈ（登録商標）等の近距離無線通信機能を有する通信用プロセッサで実現される。
【００３８】
メガネ１００のフレーム１２０の内部には、電線部１６０が設けられる。電線部１６０は、第１電極１５１、第２電極１５２、第３電極１５３、接地電極１５４及び電源ユニット１９０と、処理ユニット１８０とを電気的に接続する。電線部１６０は、第１電極１５１と処理ユニット１８０とを電気的に接続して、第１電極１５１で検出された眼電位を処理ユニット１８０に出力する電線と、第２電極１５２と処理ユニット１８０とを電気的に接続して、第２電極１５２で検出された眼電位を処理ユニット１８０に出力する電線と、第３電極１５３と処理ユニット１８０とを電気的に接続して、第３電極１５３で検出された眼電位を処理ユニット１８０に出力する電線と、電源ユニット１９０から処理ユニット１８０に電力を供給する電線とを有する。
【００３９】
メガネ１００において、処理部２００は、ユーザ２０の眼電位を取得して、取得した眼電位を処理する。具体的には、処理部２００は、第１電極１５１で検出された眼電位である第１眼電位を取得して、取得した第１眼電位を処理する。また、処理部２００は、第２電極１５２で検出された眼電位である第２眼電位を取得して、取得した第２眼電位を処理する。また、処理部２００は、第３電極１５３で検出された眼電位である第３眼電位を取得して、取得した第３眼電位を処理する。
【００４０】
例えば、処理部２００は、第３眼電位を基準とした第１眼電位を処理する。本実施形態では、第３眼電位を基準とした第１眼電位を、Ｖ１と呼ぶ。処理部２００は、Ｖ１を予め定められた周期でサンプリングして、Ｖ１の時系列データを生成する。処理部２００は、生成したＶ１の時系列データを、送受信部２８０に出力する。
【００４１】
また、処理部２００は、第３眼電位を基準とした第２眼電位を処理する。本実施形態では、第３眼電位を基準とした第２眼電位を、Ｖ２と呼ぶ。処理部２００は、Ｖ２を予め定められた周期でサンプリングして、Ｖ２の時系列データを生成する。処理部２００は、生成したＶ２の時系列データを、送受信部２８０に出力する。
【００４２】
加速度検出部２７０は、メガネ１００の加速度を検出する。加速度検出部２７０は、例えば３軸加速度センサである。加速度検出部２７０は、メガネ１００の重心の加速度を検出する。メガネ１００がユーザ２０に装着されている場合、メガネ１００の重心の加速度は、ユーザ２０の頭部の加速度に対応する。処理部２００には、加速度検出部２７０で検出された加速度が入力される。
【００４３】
角速度検出部２６０は、メガネ１００の角速度を検出する。角速度検出部２６０は、例えば３軸角速度センサである。処理部２００には、角速度検出部２６０で検出された角速度が入力される。
【００４４】
処理部２００は、加速度検出部２７０で検出された加速度を取得して、取得した加速度を処理する。処理部２００は、加速度を予め定められた周期でサンプリングして、時系列の加速度のデータを生成する。処理部２００は、生成した加速度の時系列データを送受信部２８０に出力する。送受信部２８０に出力される加速度データは、３軸の各方向の加速度の時系列データを含む。
【００４５】
処理部２００は、角速度検出部２６０で検出された角速度を取得して、取得した角速度を処理する。処理部２００は、角速度を予め定められた周期でサンプリングして、時系列の角速度のデータを生成する。処理部２００は、生成した角速度の時系列データを送受信部２８０に出力する。送受信部２８０に出力される角速度データは、３軸の各方向の角速度の時系列データを含む。
【００４６】
送受信部２８０は、処理部２００から取得したＶ１の時系列データ、Ｖ２の時系列データ、加速度の時系列データ及び角速度の時系列データを、無線信号で送受信部３８０に送信する。このように、送受信部２８０は、連続的に検出された眼電位の情報、加速度の情報及び角速度の情報を、スマートフォン４０に送信する。
【００４７】
なお、処理部２００における処理には、入力眼電位、加速度及び角速度の信号を増幅する増幅処理、入力眼電位、加速度及び角速度の信号をデジタル化するデジタル化処理が含まれる。処理部２００は、入力眼電位、加速度及び角速度のアナログ信号を増幅する増幅回路を有してよい。処理部２００は、入力眼電位、加速度及び角速度のアナログ信号又は増幅回路で増幅されたアナログ信号をデジタル化するＡＤ変換回路を有してよい。
【００４８】
スマートフォン４０において、電源部３９０は、二次電池等の電池を含む。電源部３９０は、処理部３００、送受信部３８０及びＵＩ部３７０を含むスマートフォン４０の各部に電力を供給する。
【００４９】
ＵＩ部３７０は、ユーザ２０とのユーザインタフェース（ＵＩ）を提供する。例えば、ＵＩ部３７０は、タッチパネル等の表示部、操作キー、音生成装置等を含む。
【００５０】
格納部３６０は、記憶媒体で実現される。記録媒体としては、揮発性記憶媒体、不揮発性記憶媒体等を例示できる。格納部３６０は、処理部３００の動作に必要な各種のパラメータを格納する。また、格納部３６０は、処理部３００で生成された各種の情報を格納する。
【００５１】
送受信部３８０は、メガネ１００と無線通信する機能を担う。送受信部３８０は、Ｂｌｕｅｔｏｏｔｈ（登録商標）等の近距離無線通信機能を有する通信用プロセッサで実現される。送受信部３８０と送受信部２８０とは、Ｂｌｕｅｔｏｏｔｈ（登録商標）規格に従って無線通信を行う。なお、送受信部２８０と送受信部３８０との間の通信は、Ｂｌｕｅｔｏｏｔｈ（登録商標）通信に限られない。送受信部２８０と送受信部３８０との間の通信は、例えば無線ＬＡＮ等を含む様々な方式の無線通信で実現され得る。送受信部２８０と送受信部３８０との間の通信は、ＵＳＢ等を含む様々な方式の有線通信によって実現され得る。
【００５２】
送受信部３８０は、メガネ１００から送信された眼電位を示す情報を受信する。また、送受信部３８０は、メガネ１００から送信された加速度を示す情報を受信する。また、送受信部３８０は、メガネ１００から送信された角速度を示す情報を受信する。具体的には、送受信部３８０は、送受信部２８０から受信した無線信号を受信して、受信した無線信号を復調して、Ｖ１の時系列データ、Ｖ２の時系列データ、加速度の時系列データ及び角速度の時系列データを含む受信データを生成する。送受信部３８０は、生成した受信データを、処理部３００に出力する。
【００５３】
処理部３００は、眼電位取得部３１０、加速度取得部３２０、角速度取得部３２２、ロック制御部３３０、相関取得部３４０及び解析部３５０を有する。
【００５４】
眼電位取得部３１０は、ユーザ２０に装着された眼電位検出部で検出されたユーザ２０の眼電位を取得する。具体的には、眼電位取得部３１０は、ユーザ２０が装着しているメガネ１００に設けられた第１電極１５１、第２電極１５２及び第３電極１５３で検出されたユーザ２０の眼電位を取得する。より具体的には、眼電位取得部３１０は、送受信部３８０から出力された受信データからＶ１の時系列データ及びＶ２の時系列データを抽出することにより、メガネ１００で検出された眼電位を取得する。
【００５５】
加速度取得部３２０は、メガネ１００で検出された、メガネ１００の加速度を取得する。具体的には、加速度取得部３２０は、送受信部３８０で受信した情報に基づいて、メガネ１００で検出された加速度を取得する。より具体的には、加速度取得部３２０は、送受信部３８０から出力された受信データから加速度データを抽出することにより、メガネ１００で検出された加速度を取得する。
【００５６】
角速度取得部３２２は、メガネ１００で検出された、メガネ１００の角速度を取得する。具体的には、角速度取得部３２２は、送受信部３８０で受信した情報に基づいて、メガネ１００で検出された角速度を取得する。より具体的には、角速度取得部３２２は、送受信部３８０から出力された受信データから角速度データを抽出することにより、メガネ１００で検出された角速度を取得する。
【００５７】
ロック制御部３３０は、眼電位取得部３１０が取得した眼電位が予め定められた条件を満たすと判断した場合に、情報処理装置のロック状態を解除する。相関取得部３４０は、ロック制御部３３０によって眼電位が予め定められた条件を満たすと判断された場合に、眼電位取得部３１０が取得した眼電位と、予め定められた条件に対応する視線方向とに基づいて、眼電位とユーザ２０の視線方向との間の相関を取得する。
【００５８】
一例として、予め定められた条件に対応する視線方向は、ロック状態を解除するためにユーザ２０が予め定められた順で見るべき第１位置及び第２位置の位置関係を規定する。そして、ロック制御部３３０は、第１タイミングで検出された第１の眼電位と第２タイミングで検出された第２の眼電位との間の眼電位の変化量が示す位置関係と、第１位置及び第２位置の位置関係とを比較することにより、眼電位取得部３１０が取得した眼電位が当該予め定められた条件を満たすか否かを判断する。例えば、ロック制御部３３０は、第１タイミングで検出された第１の眼電位と第２タイミングで検出された第２の眼電位との間の眼電位の変化量が示す位置関係と、第１位置及び第２位置の位置関係とが、予め定められた値より高い一致度で一致した場合に、眼電位取得部３１０が取得した眼電位が当該予め定められた条件を満たすと判断する。例えば、ロック制御部３３０は、第１タイミングで検出された第１の眼電位と第２タイミングで検出された第２の眼電位との間の眼電位の変化量が示す視線方向の方向と、第１位置から第２位置の変化方向とが、略一致した場合に、眼電位取得部３１０が取得した眼電位が当該予め定められた条件を満たすと判断する。
【００５９】
ロック制御部３３０は、表示部による表示領域内における第１位置及び第２位置にそれぞれ対応する位置に、マーカを表示させる。具体的には、ロック制御部３３０は、例えばパスコード入力画面４２を表示させる。ロック制御部３３０は、眼電位に基づいて特定したユーザ２０の視線方向の変化方向が、パスコード入力画面４２に表示させたパスコードの表示位置の位置関係から期待される視線方向の変化方向と略一致している場合に、眼電位取得部３１０が取得した眼電位が予め定められた条件を満たすと判断する。
【００６０】
解析部３５０は、眼電位取得部３１０により取得された眼電位を解析する。具体的には、解析部３５０は、眼電位取得部３１０により取得された連続的な眼電位の情報を用いて、複数のタイミングにおけるユーザ２０の状態を特定する。例えば、解析部３５０は、眼電位取得部３１０により取得された連続的な第１眼電位及び第２眼電位の情報を用いて、複数のタイミングにおけるユーザ２０の状態を特定する。ユーザ２０の状態としては、ユーザ２０の視線方向等を例示できる。解析部３５０は、ユーザ２０の視線方向を特定する視線方向特定部として機能する。
【００６１】
例えば、解析部３５０は、相関取得部３４０が取得した相関を示す情報を、相関取得部３４０から取得する。解析部３５０は、相関取得部３４０が取得した相関と、ロック状態が解除された後に検出された眼電位とに基づいて、ロック状態が解除された後におけるユーザ２０の視線方向を特定する。このように、解析部３５０は、相関取得部３４０が取得した眼電位の相関情報と、眼電位取得部３１０により取得された連続的な眼電位の情報とを用いて、ユーザの視線方向を特定する。
【００６２】
また、解析部３５０は、特定したユーザ２０の視線方向を解析して、ユーザ２０の状態を特定する。また、解析部３５０は、第１眼電位又は第２眼電位に基づいて、瞬目の有無を特定する。また、解析部３５０は、視線方向及びユーザ２０の瞬目状態を解析して、ユーザ２０の状態を特定する。例えば、解析部３５０は、ユーザ２０の状態として、ユーザ２０に疲れ、痛み等が生じているか否かを判断する。解析部３５０は、ユーザ２０に疲れ、痛み等が生じていると判断した場合、ＵＩ部３７０を通じてユーザ２０に警告を発する。このように、解析部３５０が、相関取得部３４０が取得した相関と、ロック状態が解除された後に検出された眼電位とに基づいて、ユーザ２０の状態を特定するので、解析部３５０は、ユーザ２０の状態をきちんと特定できる。
【００６３】
また、解析部３５０は、特定したユーザ２０の視線方向に基づいて、ユーザ２０からの指示を特定する。例えば、スマートフォン４０においては、視線方向の変化の組み合わせと、スマートフォン４０に対する指示とが予め対応づけられている。解析部３５０は、予め定められた時間内に特定したユーザ２０の視線方向の変化に適合する組み合わせに対応づけられている指示を、ユーザ２０からの指示として特定する。処理部３００は、ユーザ２０からの指示に基づき、スマートフォン４０の各部の動作を制御する。例えば、処理部３００は、予め定められた再生順序で音楽を再生している場合に、解析部３５０によってユーザ２０の視線方向に基づきユーザ２０から次の曲を再生するよう指示されたことが特定されると、再生順序において現在再生中の次の順番の曲の再生を開始する。このように、解析部３５０が、相関取得部３４０が取得した相関と、ロック状態が解除された後に検出された眼電位とに基づいて、ユーザ２０の指示を特定するので、解析部３５０は、スマートフォン４０に対するユーザ２０の指示をきちんと特定できる。これにより、ユーザ２０は、ユーザ２０の視線によって、スマートフォン４０をきちんと操作することができる。
【００６４】
また、解析部３５０は、加速度取得部３２０により取得された加速度及び角速度取得部３２２により取得された角速度の少なくとも一方の情報を解析してユーザ２０の動きを特定する。例えば、解析部３５０は、加速度及び角速度の少なくとも一方の情報に基づいて、ユーザ２０の体部のランニングフォームを特定する。格納部３６０は、上述した眼電位の情報の解析結果と、特定したユーザ２０の動きを示す情報とを対応づけて、格納部３６０に格納させる。ＵＩ部３７０は、格納部３６０に格納されているランニングフォームと視線方向とに基づくトータルのランニング姿勢を表す情報を、映像等によりユーザ２０に提示してよい。例えば、ＵＩ部３７０は、ランニングフォームを表すアイコンとともに、ユーザ２０の視線方向を示す矢印等のアイコンを、ユーザ２０に提示してよい。
【００６５】
眼電位情報処理システム１０によれば、スマートフォン４０は、ユーザ２０がスマートフォン４０のロックを解除する動作をすることで、眼電位とユーザ２０の視線方向との間の相関を取得できる。そのため、その後に検出される眼電位に基づいて、ユーザ２０の視線方向をより正しく特定できる。
【００６６】
図４は、メガネ１００が有する眼電位検出用電極とユーザ２０との位置関係を概略的に示す。図４には、ユーザ２０がメガネ１００を装着している場合において、眼電位検出用電極がユーザ２０に接触する位置である接触位置が示されている。
【００６７】
第１接触位置４５１は、第１電極１５１がユーザ２０に接触する位置を表す。第２接触位置４５２は、第２電極１５２がユーザ２０に接触する位置を表す。第３接触位置４５３は、第３電極１５３がユーザ２０に接触する位置を表す。
【００６８】
第１接触位置４５１及び第２接触位置４５２は、右眼の眼球４０１の角膜４１１の中心及び左眼の眼球４０２の角膜４１２の中心より、下側に位置する。
【００６９】
第１接触位置４５１及び第２接触位置４５２は、第１接触位置４５１と眼球４０１との間の距離と、第２接触位置４５２と眼球４０２との間の距離とが略等しい位置にあることが望ましい。また、第１接触位置４５１及び第２接触位置４５２は、互いに一定の距離以上離間していることが望ましい。
【００７０】
第３接触位置４５３は、右眼の眼球４０１の角膜４１１の中心及び左眼の眼球４０２の角膜４１２の中心より、上側に位置する。第３接触位置４５３の位置は、第３接触位置４５３と第１接触位置４５１との間の距離と、第３接触位置４５３と第２接触位置４５２との間の距離とが略等しくなる位置にあってよい。第３接触位置４５３は、第３接触位置４５３と眼球４０１との間の距離が、眼球４０１と第１接触位置４５１との間の距離より離間し、かつ、第３接触位置４５３と眼球４０２との間の距離が、眼球４０２と第２接触位置４５２との間の距離より離間する位置にあってよい。
【００７１】
眼球においては、角膜側が正に帯電しており、網膜側が負に帯電している。したがって、ユーザ２０の視線方向が上方に変化した場合、第３電極１５３を基準とした第１電極１５１の電位であるＶ１及び第３電極１５３を基準とした第２電極１５２の電位であるＶ２は、ともに低下する。ユーザ２０の視線方向が下方に変化した場合、Ｖ１及びＶ２の電位はともに上昇する。ユーザ２０の視線方向が右方に変化した場合、Ｖ１は低下し、Ｖ２は上昇する。ユーザ２０の視線方向が左方に変化した場合、Ｖ１は上昇し、Ｖ２は低下する。解析部３５０は、Ｖ１の変化及びＶ２の変化に基づいて、視線方向が変化した方向を特定する。
【００７２】
なお、処理部２００は、Ｖ１及びＶ２を検出することにより、右眼の眼電位及び左眼の眼電位を測定する。そのため、眼電位に加わるノイズの影響を軽減できる。
【００７３】
なお、ユーザ２０の頭部を固定したとすると、ユーザ２０の視線方向は、眼球４０１の向き及び眼球４０２の向きによって定まる。ユーザ２０の視線方向は、ユーザ２０の頭部の向きによっても変わるから、ユーザ２０のグローバルな視線方向は、眼球４０１の向き、眼球４０１及びユーザ２０の頭部の向きによって定まる。本実施形態の説明において、眼球４０１の向き及び眼球４０１の向きによって定まる視線方向のことを、単に視線方向という場合がある。
【００７４】
図５は、ユーザ２０の視線方向の変化を概略的に示す。ここでは、眼球４０１の向きを取り上げる。特に、ｘｚ平面内における眼球４０１の向きを取り上げる。図５では、眼球４０１が角度θ１の方向を向いている状態から、眼球４０１がｘｚ面内で回転した場合を示す。
【００７５】
眼球４０１が角度θ１の方向を向いている状態から、眼球４０１がｘｚ面内で回転することで角膜４１１の位置が変化すると、角膜４１１の位置に応じてＶ１が変化する。解析部３５０は、Ｖ１の変化量に基づいて、眼球４０１の回転角度の変化量である角度変化量Δθ１を特定する。解析部３５０は、変化前の角度θ１と角度変化量Δθ１とに基づいて、回転後の眼球４０１の角度を特定する。具体的には、解析部３５０は、眼球４０１がθ１＋Δθ１の角度を向いていると判断する。
【００７６】
本図においては、ｘｙ面内の回転角度について説明したが、他の面内の回転角度についても同様に特定できる。このように、解析部３５０は、Ｖ１の時間変化に基づいて眼球４０１の向きを特定する。なお、解析部３５０は、眼球４０１の角度に関する処理と同様の処理により、Ｖ２の時間変化に基づいて、眼球４０２の向きを特定する。
【００７７】
解析部３５０は、眼球４０１の向き及び眼球４０２の向きに基づいて、ユーザ２０の視線方向を特定する。例えば、解析部３５０は、眼球４０１の向きのベクトルと、眼球４０２の向きのベクトルとを合成したベクトルが向く方向を、ユーザ２０の視線方向として特定してよい。
【００７８】
なお、眼球４０１の向き及び眼球４０２の向きは、ユーザ２０の視線方向を表す指標の一例である。また、ユーザ２０の視線方向とは、眼球４０１の向きのベクトル及び眼球４０２の向きのベクトル等から定まる１つの視線方向であってよい。すなわち、解析部３５０は、Ｖ１及びＶ２から、当該１つの視線方向を特定してよい。この場合、解析部３５０は、眼球４０１の向き及び眼球４０２の向きを特定することなく、Ｖ１の変化量及びＶ２の変化量に基づく予め定められた演算を行うことで、１つの視線方向を特定してよい。例えば、解析部３５０は、Ｖ１の変化量及びＶ２の変化量と１つの視線方向の変化量とを対応づける予め定められた演算を行うことで、１つの視線方向を特定してよい。
【００７９】
なお、眼球４０１の向きは、角膜４１１の位置と言い換えることができる。また、眼球４０２の向きを、角膜４１２の位置と言い換えることができる。すなわち、解析部３５０は、メガネ１００で検出された眼電位に基づき、ユーザ２０の角膜の位置を特定してよい。また、眼球４０１の向きの変化を、眼球４０１の眼球運動と言い換えることができる。また、眼球４０２の向きの変化を、眼球運動と言い換えることができる。すなわち、解析部３５０は、メガネ１００で検出された眼電位に基づき、ユーザ２０の眼球運動を特定してよい。
【００８０】
図６は、ＵＩ部３７０が表示するパスコード入力画面４２の一例を示す。ここでは、正しいパスコードとして、「１２３」が設定されているとする。パスコードは、ユーザ２０が設定可能である。ユーザ２０が設定したパスコードを示す情報は、格納部３６０に格納される。
【００８１】
ロック制御部３３０は、ユーザ２０が設定したパスコードの数字「１」、「２」及び「３」をそれぞれ表すマークと、ユーザ２０が設定したパスコードの数字以外の数字「４」、「５」、「６」、「７」、「８」及び「９」をそれぞれ表すマークとを、ＵＩ部３７０に表示させる。
【００８２】
パスコード入力画面４２において、ユーザ２０が、「１」の表示位置、「２」の表示位置及び「３」の表示位置をこの順番で見ることで、パスコードが解除され得る。ロック制御部３３０は、Ｖ１及びＶ２の変化を監視して、Ｖ１及びＶ２の変化方向に基づいて視線方向の変化を特定することで、ユーザ２０が「１」の表示位置、「２」の表示位置及び「３」の表示位置を順に見たか否かを判断する。
【００８３】
図７は、眼電位の時間発展の一例を、ロック制御部３３０による制御内容とともに概略的に示す。ここでは、パスコード入力中において取得されたＶ１及びＶ２の時間発展の一例を概略的に示す。
【００８４】
グラフ６０１は、Ｖ１の時間発展を示す。グラフ６０２は、Ｖ２の時間発展を示す。グラフ６０１及びグラフ６０２の横軸は、時間を表す。グラフ６０１の縦軸はＶ１を表す。グラフ６０２の縦軸はＶ２を表す。
【００８５】
時刻ｔ０において、ＵＩ部３７０は、パスコードロック画面を表示する。ロック制御部３３０は、Ｖ１及びＶ２を連続的に監視する。
【００８６】
時刻ｔ１において、ロック制御部３３０は、Ｖ１が実質的に上昇し、Ｖ２が実質的に低下したと判断する。ロック制御部３３０は、時刻ｔ１におけるＶ１の変化方向及びＶ２の変化方向に基づいて、時刻ｔ１において、ユーザ２０の視線方向が左方に変化したと判断する。ロック制御部３３０は、時刻ｔ１の時点で、１番目に見るべきコードの表示位置をユーザ２０が見ていると判断する。
【００８７】
続いて、時刻ｔ２において、ロック制御部３３０は、Ｖ１が実質的に低下し、Ｖ２が実質的に上昇したと判断する。ロック制御部３３０は、時刻ｔ２におけるＶ１の変化方向及びＶ２の変化方向に基づいて、時刻ｔ２において、ユーザ２０の視線方向が右方に変化したと判断する。そして、ロック制御部３３０は、時刻ｔ２の時点で、２番目に見るべきコードの表示位置をユーザ２０が見ていると判断する。
【００８８】
続いて、時刻ｔ３において、ロック制御部３３０は、Ｖ１が実質的に上昇し、Ｖ２も実質的に上昇したと判断する。ロック制御部３３０は、時刻ｔ３におけるＶ１の変化方向及びＶ２の変化方向に基づいて、時刻ｔ２において、ユーザ２０の視線方向が下方に変化したと判断する。そして、ロック制御部３３０は、時刻ｔ３の時点で、３番目に見るべきコードの表示位置をユーザ２０が見ていると判断する。
【００８９】
パスコード入力画面４２では、パスコード「１２３」の位置関係は、「２」が「１」より右方にあり、「３」が「２」より下方にある。そのため、ユーザ２０が正しいパスコードを視線入力した場合、ユーザ２０の視線方向は、右方から下方に変化する。上述したように、時刻ｔ２において右方に変化し、時刻ｔ３において下方に変化しているので、ロック制御部３３０は、「１２３」の位置関係を満たす視線方向の変化が検出されたと判断して、正しいパスコードが入力されたと判断する。したがって、ロック制御部３３０は、時刻ｔ３の後の時刻ｔ４において、ロックを解除する。例えば、ロック制御部３３０は、ユーザ２０がスマートフォン４０に対して指示するメニューを表示するメニュー画面をＵＩ部３７０に表示させる。
【００９０】
ここで、相関取得部３４０は、時刻ｔ１におけるユーザ２０の視線方向が「１」の表示位置を見る方向にあり、時刻ｔ２におけるユーザ２０の視線方向が「２」の表示位置を見る方向にあり、時刻ｔ３におけるユーザ２０の視線方向が「３」の表示位置を見る方向にあったと判断する。そして、相関取得部３４０は、「１」の表示位置と「２」の表示位置との間の視線方向の変化量と、Ｖ１の変化量及びＶ２の変化量との間の相関を、左右方向の相関として取得する。また、相関取得部３４０は、「２」の表示位置と「３」の表示位置との間の視線方向の変化量と、Ｖ１の変化量及びＶ２の変化量との間の相関を、上下方向の相関として取得する。これにより、相関取得部３４０は、互いに直交する方向の相関を取得する。
【００９１】
ロックが解除された後、時刻ｔ５において、解析部３５０は、Ｖ１が実質的に上昇し、Ｖ２が実質的に低下したと判断する。ロック制御部３３０は、時刻ｔ３におけるＶ１の変化方向及びＶ２の変化方向に基づいて、時刻ｔ５において、ユーザ２０の視線方向が左方に変化したと判断する。また、解析部３５０は、相関取得部３４０によって取得された左右方向の相関関係と、Ｖ１の変化量の大きさ及びＶ２の変化量の大きさとに基づいて、視線方向の左方向への変化量を算出する。そして、解析部３５０は、現在の視線方向が、当該変化量だけ変化したと判断する。例えば、時刻ｔ３の時点から視線方向が変わっていないと判断できる場合、解析部３５０は、パスコード「３」の表示位置を向いている方向から、当該変化量だけ左方に変化した方向を、現在の視線方向として特定してよい。
【００９２】
なお、ロック制御部３３０は、パスコード入力画面を表示させる場合、各数字を表すマークの表示位置をランダムに決定してよい。ここで、ロック制御部３３０は、ユーザ２０が設定したパスコードの数字を表す複数のマークの表示面内の位置関係が、全てのマークの任意の組み合せの表示面内の位置関係と相似にならないように、各マークの表示位置を決定してよい。例えば、図６に例示されるパスコード入力画面において、「１」「２」及び「３」のマークの位置関係については、他のどの組み合せでマークを選択しても、同じ位置関係の組合せは得られない。また、「１」「２」、「３」のマークの表示位置を順に結ぶ線で形成される図形の形状は、他の組み合せのマークの表示位置を順に結ぶ線で形成されるどの図形の形状とも異なる。このようにロック制御部３３０が各マークの表示位置を決定することで、ユーザ２０の正確な視線方向を特定できない場合でも、視線方向の変化から正しいパスコードが入力されたか否かを判断できる場合がある。
【００９３】
なお、上述したパスコードの入力方法では、数字によってコードが識別される。コードを識別する情報としては、数字以外に、識別可能な任意の情報を適用できる。マークが表す表示内容が異なれば、ユーザ２０はコードを識別できる。コードを識別する情報として、マークの形状、大きさ、色、明るさ等を適用できる。
【００９４】
なお、以上に説明したパスコード入力は、視線入力に限られない。ＵＩ部３７０がタッチパネル機能を持つ表示部を有する場合、ロック制御部３３０は、ユーザ２０にタッチされたタッチ位置によって、ユーザ２０が入力したコードを特定できる。タッチ操作によってコードを入力する場合、相関取得部３４０は、タッチされた位置をユーザ２０が見ていると判断して、タッチされた位置と眼電位との相関を取得してよい。
【００９５】
また、以上に説明したパスコード入力によりロックを解除する方法は、ロックを解除する方法の一例である。ロックを解除する方法の他の例としては、ロック制御部３３０は、ＵＩ部３７０の表示領域内に表示させるマークの表示位置を時間的に移動させて、当該マークの表示位置をユーザ２０の視線またはタッチ操作で追従させてよい。
【００９６】
例えば、ロック制御部３３０は、ユーザ２０の視線方向の変化が、追従させるマークの表示位置の変化に適合していると判断した場合に、ロック状態を解除すると判断してよい。この場合、相関取得部３４０は、追従させるマークの表示位置の変化と、ユーザ２０の視線方向の変化との相関に基づいて、眼電位と視線方向との間の相関を取得してよい。
【００９７】
以上に説明した眼電位情報処理システム１０においては、Ｖ１及びＶ２を演算する処理は、処理部２００が行う。これに代えて、スマートフォン４０の解析部３５０が、Ｖ１及びＶ２を演算する処理を行ってよい。この場合、処理部２００は、第１眼電位、第２眼電位及び第３眼電位のそれぞれの時系列データを生成し、送受信部２８０が第１眼電位、第２眼電位及び第３眼電位のそれぞれの時系列データをスマートフォン４０に送信してよい。
【００９８】
また、以上に説明した眼電位情報処理システム１０では、解析部３５０は、Ｖ１及びＶ２を用いて、ユーザ２０の視線方向等のユーザ２０の状態を特定する。他にも、解析部３５０は、Ｖ１及びＶ２の任意の線形結合を用いて、ユーザ２０の状態を特定してよい。例えば、解析部３５０は、Ｖ１＋Ｖ２と、Ｖ１−Ｖ２とを用いて、ユーザ２０の状態を特定してよい。また、解析部３５０は、Ｖ１の時間微分と、Ｖ２の時間微分とを用いて、ユーザ２０の状態を特定してもよい。また、解析部３５０は、視線方向を特定するための眼電位として、以上に説明したＶ１及びＶ２に代えて、接地電極１５４等の電位等の予め定められた基準電位を基準とした第１眼電位と、接地電極１５４の電位を基準とした第２眼電位とを適用してよい。
【００９９】
なお、加速度を検出する検出部の機能は、スマートフォン４０が有してよい。また、角速度を検出する検出部の機能は、スマートフォン４０が有してよい。
【０１００】
上記の説明において、スマートフォン４０において処理部３００、送受信部３８０の動作として説明した処理は、処理部３００、送受信部３８０等のプロセッサがプログラムに従ってスマートフォン４０が有する各ハードウェアを制御することにより実現される。このように、本実施形態のスマートフォン４０に関連して説明した、スマートフォン４０の少なくとも一部の処理は、プロセッサがプログラムに従って動作して各ハードウェアを制御することにより、プロセッサ、メモリ等を含む各ハードウェアとプログラムとが協働して動作することにより実現することができる。すなわち、当該処理を、いわゆるコンピュータによって実現することができる。コンピュータは、上述した処理の実行を制御するプログラムをロードして、読み込んだプログラムに従って動作して、当該処理を実行してよい。コンピュータは、当該プログラムを記憶しているコンピュータ読取可能な記録媒体から当該プログラムをロードすることができる。同様に、メガネ１００において処理部２００、送受信部２８０の動作として説明した処理は、いわゆるコンピュータによって実現することができる。
【０１０１】
眼電位情報処理システム１０は、情報処理システムの一例である。スマートフォン４０は、眼電位に限らず、種々の情報を処理してよい。また、スマートフォン４０は、メガネ１００で検出された眼電位等の情報を処理する情報処理装置の一例である。情報処理装置としては、通信機能を有する種々の電子機器であってよい。情報処理装置は、ユーザ２０が所持する携帯電話機、携帯情報端末、携帯音楽プレーヤ等の携帯型の電子機器であってよい。
【０１０２】
なお、アイウエアの一例としてのメガネ１００は、ユーザ２０の目の屈折異常を補正したり、ユーザ２０の目を保護したり、着飾ったりすること等を目的として利用され得る。しかし、アイウエアはメガネに限定されない。アイウエアは、サングラス、ゴーグル、ヘッドマウントディスプレイなどの顔面装着具または頭部装着具であってよい。アイウエアは、顔面装着具または頭部装着具のフレームまたは当該フレームの一部であってもよい。アイウエアは、ユーザに装着され得る装着具の一例である。装着具は、アイウエア等の眼に関連する装着具に限られない。装着具としては、帽子、ヘルメット、ヘッドフォン、補聴器等の様々な部材を適用できる。
【０１０３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１０４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１０５】
１０  眼電位情報処理システム
１００  メガネ
２０  ユーザ
４０  スマートフォン
４２  パスコード入力画面
５０  ヘッドフォン
１１０  レンズ
１２０  フレーム
１２２  リム
１２４  ブリッジ
１２６  ヨロイ
１３０  テンプル
１３２  モダン
１４１  右ノーズパッド
１４２  左ノーズパッド
１５１  第１電極
１５２  第２電極
１５３  第３電極
１５４  接地電極
１６０  電線部
１８０  処理ユニット
１９０  電源ユニット
２００  処理部
２６０  角速度検出部
２７０  加速度検出部
２８０  送受信部
２９０  基板部
３００  処理部
３１０  眼電位取得部
３２０  加速度取得部
３２２  角速度取得部
３３０  ロック制御部
３４０  相関取得部
３５０  解析部
３６０  格納部
３７０  ＵＩ部
３８０  送受信部
３９０  電源部
４０１、４０２  眼球
４１１、４１２  角膜
４５１  第１接触位置
４５２  第２接触位置
４５３  第３接触位置
６０１、６０２  グラフ
【図１】
2015203957.tif 000003
【図２】
2015203957.tif 000004
【図３】
2015203957.tif 000005
【図４】
2015203957.tif 000006
【図５】
2015203957.tif 000007
【図６】
2015203957.tif 000008
【図７】
2015203957.tif 000009